(57)【要約】【課題】同時給排形換気扇の天井パネルの施工を容易とし、熱交換器のメンテナンス作業性を向上させることが可能な同時給排形換気扇を提供する。【解決手段】吸込気流Ａ１と吹出気流Ｂ２とが交わるのを防止すると共に、パネル外装枠２の位置に合わせて伸縮し、外装ケーシング１と天井パネル３との間隔を調整可能とするセパレータ１２を備え、セパレータ１２は、複数のセパレータ体２５、２６を互いに上下方向に移動自在に連結することで伸縮するように構成され、パネル外装枠２に一体的に設けた。【選択図】図６
2013164172.tif 000002
【特許請求の範囲】
【請求項１】
互いに独立した排気通風路と給気通風路とが形成され、天井に設置される外装ケーシングと、
前記外装ケーシングの下方に設けられ、前記排気通風路に連通する吸込口と前記給気通風路に連通する吹出口とを形成する天井パネルと、
前記外装ケーシングと前記天井パネルとの間に設けられ、前記外装ケーシングとの間の間隔を調整可能なパネル外装枠と、
前記外装ケーシングに収容され、前記吸込口に吸い込ませた吸込気流を前記排気通風路に送り、排気流として排気させる排気用送風機と、
前記外装ケーシングに収容され、前記給気通風路に給気させた給気流を前記吹出口に送り、吹出気流として吹き出させる給気用送風機と、
前記排気流と前記給気流との間で熱交換を行わせる熱交換器と、
前記吸込気流と前記吹出気流とが交わるのを防止すると共に、前記パネル外装枠の位置に合わせて伸縮し、前記外装ケーシングと前記天井パネルとの間隔を調整可能とするセパレータとを備え、
前記セパレータは、複数のセパレータ体を互いに上下方向に移動自在に連結することで伸縮するように構成され、前記パネル外装枠に一体的に設けたことを特徴とする同時給排形換気扇。
【請求項２】
前記セパレータを取り外すことなく、前記外装ケーシングより前記熱交換器を取り外すことが可能であることを特徴とする請求項１記載の同時給排形換気扇。
【請求項３】
前記熱交換器と前記セパレータとが、前記天井パネルの正面からの平面視で互いに重ならないように位置をずらして配置されていることを特徴とする請求項２記載の同時給排形換気扇。
【請求項４】
前記パネル外装枠の下方に前記天井パネルが固定され、前記セパレータは、前記天井パネル施工時に前記パネル外装枠を上下方向に移動させて位置を調整する際の上下移動範囲を規制するストッパーを備えていることを特徴とする請求項１乃至請求項３の何れか一項に記載の同時給排形換気扇。
【発明の詳細な説明】
【技術分野】
【０００１】
本発明は、同時給排形換気扇に関する。
【背景技術】
【０００２】
室内の温度や湿度の変動が少ない換気を実現するために、同時給排形換気扇を天井に取り付け、熱交換を行いながら同時給排を行う方法がある。
【０００３】
このような同時給排形換気扇として、「互いに独立した排気通風路と給気通風路とが形成された外装ケーシングと、前記外装ケーシングの下方に設けられ、パネル吸込口とパネル吹出口とが設けられた天井パネルと、前記外装ケーシングと前記天井パネルの間に設けられたパネル外装枠と、前記外装ケーシングに収容され、前記パネル吸込口に吸い込まれた吸込気流を前記排気送風機に送り、排気流として排気させる排気用送風機と、前記給気通風路に給気させた給気流を前記パネル吹出口に送り、吹出気流として吹き出させる給気用送風機と」、熱交換器とを備え、室外からの給気流と室内からの吸込気流とを熱交換器で熱交換するようにしたものがある（例えば特許文献１および特許文献２参照）。
【０００４】
この同時給排形換気扇では、吸込気流と吹出気流とが天井パネル付近で交わらないようにセパレータを設け、流路を切り分けている。このセパレータは、２枚の長板状のセパレータ体を互いに上下方向に移動可能に組み合わせた構成を有しており、流路を切り分ける機能以外に、据付時に、外装ケーシングと天井面との隙間に合わせて天井パネルの上下方向の位置を調整できる機能も備えている。セパレータをこのように構成することで、天井面の厚みが一定でない場合において、天井パネルが天井面から出過ぎた位置に固定されたり、天井パネルが天井面に引っ込められた位置に固定されたりするのを防止することを可能としている。
【先行技術文献】
【特許文献】
【０００５】
【特許文献１】国際公開第２０１０／０９７８８３号
【特許文献２】国際公開第２０１０／０９７８８４号
【発明の概要】
【発明が解決しようとする課題】
【０００６】
しかしながら、特許文献１および特許文献２では、セパレータを構成する２枚のセパレータ体が、パネル外装枠の取り付け後にそれぞれ別々に固定する構造となっている。そのため、天井パネルを施工する際に多くの部品の取り付けが必要となり、施工方法が煩雑となり、天井パネルの施工時間が長くなるという問題があった。
【０００７】
本発明は、上記に鑑みてなされたものであり、天井パネルの施工を容易とすることが可能な同時給排形換気扇を得ることを目的とする。
【課題を解決するための手段】
【０００８】
本発明に係る同時給排形換気扇は、互いに独立した排気通風路と給気通風路とが形成され、天井に設置される外装ケーシングと、外装ケーシングの下方に設けられ、排気通風路に連通する吸込口と給気通風路に連通する吹出口とを形成する天井パネルと、外装ケーシングと天井パネルとの間に設けられ、外装ケーシングとの間の間隔を調整可能なパネル外装枠と、外装ケーシングに収容され、吸込口に吸い込ませた吸込気流を排気通風路に送り、排気流として排気させる排気用送風機と、外装ケーシングに収容され、給気通風路に給気させた給気流を吹出口に送り、吹出気流として吹き出させる給気用送風機と、排気流と給気流との間で熱交換を行わせる熱交換器と、吸込気流と吹出気流とが交わるのを防止すると共に、パネル外装枠の位置に合わせて伸縮し、外装ケーシングと天井パネルとの間隔を調整可能とするセパレータとを備え、セパレータは、複数のセパレータ体を互いに上下方向に移動自在に連結することで伸縮するように構成され、パネル外装枠に一体的に設けたものである。
【発明の効果】
【０００９】
本発明によれば、天井パネルの施工の際に取り扱う部品数を削減することができ、天井パネルの施工を容易に行うことが可能となる。
【図面の簡単な説明】
【００１０】
【図１】本発明の実施の形態に係る同時給排形換気扇の外観構成を示した斜視図である。
【図２】図１の同時給排形換気扇の使用時の状態を示す斜視図である。
【図３】図１の同時給排形換気扇を吸込気流Ａ１および吹出気流Ｂ２の流れる方向に沿って切断して示す断面図である。
【図４】図１の同時給排形換気扇の内部構成の一例を透視して示す下面側からの斜視図である。
【図５】図４の同時給排形換気扇の内部構成の一例を切り欠いて示す下面側からの斜視図である。
【図６】本発明の実施の形態に係る同時給排形換気扇の化粧パネルの概略構成を分解して示す斜視図である。
【図７】図５の同時給排形換気扇のセパレータ１２と、給気室１５ａ、排気室１５ｂとの配置状態の一例を模式的に示す断面図である。
【図８】図６の化粧パネルの断面部Ｙの断面斜視図である。
【図９】図６の化粧パネルの断面部Ｘを矢印Ｘ１方向から見た断面図である。
【図１０】図６の化粧パネルの断面部Ｙを矢印Ｙ１方向から見た断面図である。
【発明を実施するための形態】
【００１１】
以下に、本発明に係る同時給排形換気扇の実施の形態を図面に基づいて説明する。なお、本実施の形態により本発明が限定されるものではない。
【００１２】
図１は、本発明の一実施の形態に係る同時給排形換気扇の外観構成を示す斜視図である。図２は、図１の同時給排形換気扇の使用時の状態を示す斜視図である。図３は、図１の同時給排形換気扇を吸込気流Ａ１および吹出気流Ｂ２の流れる方向に沿って切断して示す断面図である。
図１において、同時給排形換気扇には、換気扇本体として６面を有する箱体の外装ケーシング１が設けられ、外装ケーシング１の下方には、パネル外装枠２を介して化粧パネルとなる天井パネル３が取り付けられている。パネル外装枠２は、角筒状に構成される。
【００１３】
外装ケーシング１の側面には、排気流Ａ２を外装ケーシング１外に排気する排気口ＳＯおよび給気流Ｂ１を外装ケーシング１内に給気する給気口ＳＩが設けられている。また、外装ケーシング１下方の外周部と天井パネル３との間には、吸込気流Ａ１を吸い込むパネル吸込口ＵＩおよび吹出気流Ｂ２を吹き出すパネル吹出口ＵＯが形成されている。なお、パネル吸込口ＵＩおよびパネル吹出口ＵＯの形成位置はこの位置に限られず、天井パネル３に設けた構成としてもよい。
【００１４】
外装ケーシング１内には、パネル吸込口ＵＩと排気口ＳＯとの間の通風路を構成する排気通風路１４ａと、給気口ＳＩとパネル吹出口ＵＯとの間の通風路を構成する給気通風路１４ｂとが、互いに独立して設けられている。
【００１５】
本同時給排形換気扇を屋内に設置する場合、図２に示すように、天井パネル３を天井面Ｔから室内側に突出させるようにして、外装ケーシング１を天井裏に配置する。
【００１６】
室内の吸込気流Ａ１がパネル吸込口ＵＩから吸い込まれると、吸込気流Ａ１は、外装ケーシング１内に導かれる。そして、外装ケーシング１内に導かれた吸込気流Ａ１は、排気通風路１４ａを通ることで排気口ＳＯに導かれ、排気流Ａ２として室外に排気される。
【００１７】
これと同時に、室外の給気流Ｂ１が給気口ＳＩから給気されると、給気流Ｂ１は、外装ケーシング１内に導かれる。そして、外装ケーシング１内に導かれた給気流Ｂ１は、給気通風路１４ｂを通ることでパネル吹出口ＵＯに導かれ、吹出気流Ｂ２として室内に吹き出される。
【００１８】
図４は、図１の同時給排形換気扇の内部構成の一例を透視して示す下面側からの斜視図、図５は、図４の同時給排形換気扇の内部構成の一例を切り欠いて示す下面側からの斜視図である。図４、図５とも図中の上部が下面側である。
【００１９】
図４、図５において、外装ケーシング１の下面には、パネル吸込口ＵＩに吸い込まれた吸込気流Ａ１を外装ケーシング１内に取り入れたり、外装ケーシング１内に吸気された給気流Ｂ１を外装ケーシング１外に排出したりする本体開口部４が形成されている。そして、外装ケーシング１の下方には、本体開口部４を下方側から覆うようにして天井パネル３がパネル外装枠２を介して取り付けられている。また、図５では詳しく図示されていないが、パネル外装枠２には、パネル吸込口ＵＩから吸い込まれた吸込気流Ａ１と、パネル吹出口ＵＯから吹き出される吹出気流Ｂ２とが交わるのを防止するセパレータ１２が設けられている。セパレータ１２は、仕切り板または隔壁にて構成することができ、吸込気流Ａ１の吸込方向および吹出気流Ｂ２の吹出方向と直交するように配置されている。セパレータ１２の詳細については、改めて説明する。
【００２０】
また、パネル外装枠２において、排気流Ａ２および給気流Ｂ１の方向と直交する方向の両端部には、吸込気流Ａ１および吹出気流Ｂ２の天井パネル３に沿った進行方向を一方方向に規制する壁面２ａ、２ｂ（図５、後述の図６参照）が形成されている。
【００２１】
また、外装ケーシング１内は、排気口ＳＯから排気される排気流Ａ２と、給気口ＳＩから給気される給気流Ｂ１とが、外装ケーシング１内で交わらないように仕切られており、図３に示すように排気通風路１４ａと給気通風路１４ｂとが外装ケーシング１内に互いに独立して形成されている。そして、外装ケーシング１には、排気用送風機７ａ、給気用送風機７ｂ、熱交換器９および回路部ケース１０が収容されている。ここで、排気用送風機７ａは、排気通風路１４ａ中に配置されている。給気用送風機７ｂは、給気通風路１４ｂ中に配置されている。熱交換器９は、排気通風路１４ａおよび給気通風路１４ｂ中に配置されている。
【００２２】
排気用送風機７ａは、パネル吸込口ＵＩに吸い込ませた吸込気流Ａ１を排気通風路１４ａに送り、排気口ＳＯから排気流Ａ２として排気させる。なお、排気用送風機７ａは、排気流Ａ２を形成する排気用羽根６ａと、排気用羽根６ａを回転させる排気用電動機５ａと、排気用羽根６ａおよび排気用電動機５ａを囲むように構成された渦巻状の排気用ファンケーシング８ａ等とから構成されている。
【００２３】
また、給気用送風機７ｂは、給気口ＳＩから給気通風路１４ｂに給気させた給気流Ｂ１をパネル吹出口ＵＯに送り、パネル吹出口ＵＯから吹出気流Ｂ２として吹き出させる。なお、給気用送風機７ｂは、給気流Ｂ１を形成する給気用羽根６ｂと、給気用羽根６ｂを回転させる給気用電動機５ｂ（図３参照）と、給気用羽根６ｂおよび給気用電動機５ｂを囲むように構成された渦巻状の給気用ファンケーシング８ｂ等とから構成されている。また、給気用ファンケーシング８ｂには、給気流Ｂ１を吹き出す送風機吹出口１７が天井パネル３に対向するように形成されている。
【００２４】
熱交換器９は、図５に示すように、互いに直交する通風路が交互に積層された６面体構造をなしており、その積層方向が排気流Ａ２および給気流Ｂ１の方向と直交する方向（図５では左右方向）となるように外装ケーシング１内に配置されている。そして、熱交換器９における一方の通風路（図５では上下方向に延びる通風路）に、パネル吸込口ＵＩから吸い込まれて排気口ＳＯに導かれる排気流Ａ２が通過し、他方の通風路（図５では前後方向に延びる通風路）に、給気口ＳＩから給気された給気流Ｂ１が通過する。このように熱交換器９内に排気流Ａ２と給気流Ｂ１とが通過することで両気流の間で熱交換を行うようになっている。
【００２５】
ここで、給気口ＳＩおよび排気口ＳＯは、吸込気流Ａ１の吸込方向および吹出気流Ｂ２の吹出方向と平行する方向に開口して、並べて配置されている。また、給気口ＳＩ、熱交換器９および給気用送風機７ｂは、吸込気流Ａ１の吸込方向および吹出気流Ｂ２の吹出方向に沿ってこの順番で並べて配置されている。また、排気口ＳＯ、排気用送風機７ａおよび回路部ケース１０は、吸込気流Ａ１の吸込方向および吹出気流Ｂ２の吹出方向に沿ってこの順番で並べて配置されている。すなわち、熱交換器９と回路部ケース１０は外装ケーシング１の一方の対角位置に配置されるとともに、給気用送風機７ｂおよび排気用送風機７ａは、外装ケーシング１の他方の対角位置に配置されている。
【００２６】
また、排気用羽根６ａは、熱交換器９の積層方向の延長線上の位置に概ね配置されている。また、排気用電動機５ａは熱交換器９側に配置されている。また、排気用ファンケーシング８ａは、排気口ＳＯに接続されている。
【００２７】
また、給気口ＳＩと熱交換器９との間には、給気流Ｂ１の除塵を行う給気側除塵フィルタ１６（図４参照）が設置されている。また、パネル外装枠２にて仕切られた外装ケーシング１下の空間がセパレータ１２にて２分割されることで、排気通風路１４ａに通じる排気室１５ｂと給気通風路１４ｂに通じる給気室１５ａとが形成されている。
【００２８】
そして、排気用電動機５ａおよび給気用電動機５ｂにて排気用羽根６ａおよび給気用羽根６ｂがそれぞれ回転されると、室内の吸込気流Ａ１がパネル吸込口ＵＩから天井面Ｔに沿って水平に吸い込まれるとともに、室外の給気流Ｂ１が給気口ＳＩから給気される。
【００２９】
そして、吸込気流Ａ１がパネル吸込口ＵＩから天井面Ｔに沿って水平に吸い込まれると、図３に示すように前方がセパレータ１２にて塞がれているため、吸込気流Ａ１の進行方向が変えられ、排気流Ａ２として熱交換器９に導かれる。また、室外の給気流Ｂ１が給気口ＳＩから吸い込まれると、給気口ＳＩの正面には熱交換器９が設置されているため、その給気流Ｂ１が熱交換器９に導かれる。そして、排気流Ａ２および給気流Ｂ１が熱交換器９に導かれると、排気流Ａ２と給気流Ｂ１との間で全熱交換が行われた後、排気流Ａ２は排気用送風機７ａに流入するとともに、給気流Ｂ１は給気用送風機７ｂに流入する。ここで、熱交換器９にて排気流Ａ２と給気流Ｂ１との間で熱交換を行わせることで、排気熱を回収させることができ、冷暖房にかかる負荷を軽減することができる。
【００３０】
そして、排気流Ａ２が排気用送風機７ａに流入すると、図４および図５に示すように排気用送風機７ａにて排気口ＳＯの方向に導かれ、排気口ＳＯから室外に排気される。一方、給気流Ｂ１が給気用送風機７ｂに流入すると、図３に示すように給気用送風機７ｂにて天井パネル３の方向に導かれ、送風機吹出口１７を介して送出される。そして、給気流Ｂ１が送風機吹出口１７を介して送出されると、前方は天井パネル３にて塞がれ、側方は壁面２ａ、２ｂ（図５参照）にて塞がれ、後方はセパレータ１２にて塞がれているため、パネル吹出口ＵＯから吹出気流Ｂ２として室内に吹き出される。
【００３１】
そして、パネル吸込口ＵＩから水平に吸い込まれた吸込気流Ａ１は、セパレータ１２にて進行方向が垂直に変えられ、排気室１５ｂを介して外装ケーシング１の排気通風路１４ａに導かれる。一方、送風機吹出口１７から垂直に送出された給気流Ｂ１は、天井パネル３にて進行方向が水平に変えられ、パネル吹出口ＵＯから吹出気流Ｂ２として室内に水平に吹き出される。
【００３２】
図６は、本発明の実施の形態に係る同時給排形換気扇の化粧パネルの概略構成を分解して示す斜視図である。図７は、図５の同時給排形換気扇のセパレータ１２と、給気室１５ａ、排気室１５ｂとの配置状態の一例を模式的に示す断面図である。図８は、図６の化粧パネルの断面部Ｙの断面斜視図である。図９は、図６の化粧パネルの断面部Ｘを矢印Ｘ１方向から見た断面図である。図１０は、図６の化粧パネルの断面部Ｙを矢印Ｙ１方向から見た断面図である。
【００３３】
図７に示すように外装ケーシング１の下面にはパネル取付金具２１が設けられ、パネル取付金具２１は外装ケーシング１に固定される。
【００３４】
そして、パネル外装枠２は、パネル取付金具２１に対して上下に移動できるようにパネル取付金具２１に取り付けられている。ここで、パネル外装枠２の外枠は、パネル取付金具２１に密着させながら、パネル外装枠２とパネル取付金具２１とを互いに上下にずらすことができるように構成することができる。
【００３５】
また、パネル外装枠２の両側には、上述したように、吸込気流Ａ１および吹出気流Ｂ２の天井パネル３に沿った進行方向を一方方向に規制する壁面２ａ、２ｂが形成されている。そして、この壁面２ａ、２ｂに天井パネル３の両端付近が支持されるようにパネル外装枠２に天井パネル３が固定されることで、図７および図２に示すように、パネル吸込口ＵＩおよびパネル吹出口ＵＯが、パネル外装枠２と天井パネル３との間に形成される。なお、上述したように、パネル吸込口ＵＩおよびパネル吹出口ＵＯの形成位置はこの位置に限られず、天井パネル３に設けた構成としてもよい。
【００３６】
ここで、パネル取付金具２１に対するパネル外装枠２の可動方向を上下方向だけに規制（ガイド）するため、パネル取付金具２１において互いに対向する一対の側面（図６において左右の側面）には、溝２２が上下方向に向かって２本ずつ形成されている。また、パネル外装枠２において互いに対向する一対の側面（図６において左右の側面）には、溝２２にはめ込み可能な突起２４が溝２２に対応して２つずつ形成されている。なお、パネル取付金具２１にレールを形成し、パネル外装枠２に溝を形成するようにしてもよい。
【００３７】
また、パネル外装枠２には、上述したように、パネル吸込口ＵＩから吸い込まれた吸込気流Ａ１と、パネル吹出口ＵＯから吹き出される吹出気流Ｂ２とが交わるのを防止するセパレータ１２が一体的に設けられている。セパレータ１２は、パネル外装枠２内の開口部を図６では前後に２分するように配置されており、その前後方向の配置位置は、熱交換器９の取り付けおよび取り外しの際に熱交換器９に干渉しない位置となっている。すなわち、図３に示すように、セパレータ１２は、同時給排形換気扇の据付完了状態で熱交換器９の真下とならない位置（天井パネルの正面からの平面視で、熱交換器９とセパレータ１２とが互いに重ならない位置）に配置されている。このような位置関係でセパレータ１２と熱交換器９とを配置することで、熱交換器９のメンテナンス時にセパレータ１２を取り外すことなくメンテナンス作業を行うことが可能となる。
【００３８】
また、セパレータ１２は、パネル外装枠２の位置に合わせて伸縮し、外装ケーシング１と天井パネル３との間隔を調整可能となっている。具体的には、長板状の複数（ここでは２枚）のセパレータ体２５、２６同士を面接触させつつ互いの位置を移動自在に連結し、全体の上下方向の長さを変更できるように構成されている。以下、各セパレータ体２５、２６について順に説明する。
【００３９】
セパレータ体２５は、パネル外装枠２の開口方向に沿うようにパネル外装枠２内に配置され、長手方向の両端辺でパネル外装枠２に固定されている。
【００４０】
また、セパレータ体２６は、セパレータ体２５に対して面が重なって密着した状態で互いに位置をずらせるように、セパレータ体２５にスライド可能に連結されている。この連結構造は、具体的には図８に示すように、セパレータ体２５とセパレータ体２６との互いの密着面にスライド突起２５ａおよびスライド溝２６ａを設け、これらを互いにスライド可能に嵌合させる構造となっている。
【００４１】
また、セパレータ体２６の長手方向の両端下部にはそれぞれ、図９に示すように、弾性のある可動な係合片２６ｂが設けられている。係合片２６ｂは、セパレータ体２６の長手方向の両端下部から外側に斜め上方に向かって突出するように形成されている。また、セパレータ体２５の長手方向の両端（図６の左右方向）には、セパレータ体２５と直交する方向に延びる面２５ｂが設けられ、その面２５ｂの上端には内側に向かって突出し、セパレータ体２６の係合片２６ｂに係止する係止突起２５ｃが設けられている。
【００４２】
セパレータ体２５およびセパレータ体２６は以上のように構成されているため、パネル外装枠２を外装ケーシング１から離す方向（天井据付状態では下方向）にスライドさせていくと、係合片２６ｂが係止突起２５ｃに引っかかり、セパレータ体２５の下方向へのスライド移動が規制される。よって、係合片２６ｂは、セパレータ体２５に対する下限ストッパーとして機能する。
【００４３】
また、セパレータ体２６の上端には、図１０に示すようにセパレータ体２５側に突出するストッパー２６ｃが設けられている。よって、パネル外装枠２を外装ケーシング１に近づく方向（天井据付状態では上方向）にスライドさせていくと、セパレータ体２５の上端部がセパレータ体２６のストッパー２６ｃに突き当たる。よって、ストッパー２６ｃは、セパレータ体２５のスライド移動の下限ストッパーとして機能する。このように、パネル外装枠２の上下移動範囲を規制するストッパーによって、パネル外装枠２を上下方向に移動させて位置を調整する際に、セパレータ体２５が必要以上にスライドするのを防ぐことができる。
【００４４】
以上説明したように、パネル外装枠２とパネル取付金具２１とを互いに上下にずらせるように構成することにより、外装ケーシング１と天井パネル３との間の間隔を調整することができる。このため、据付時に外装ケーシング１と天井面Ｔ（図２参照）との隙間に合わせて、天井パネル３の上下方向の位置を調整することができ、天井面Ｔの厚みが一定でない場合において、天井パネル３が天井面Ｔから出過ぎた位置に固定されたり、天井パネル３が天井面Ｔに引っ込められた位置に固定されたりするのを防止することができる。
【００４５】
次に、天井据付時の手順について図６を参照して説明する。
天井内に外装ケーシング１を吊ボルト（図示せず）で固定した後、外装ケーシング１の下面にパネル取付金具２１を４本のビス３１で固定する。次にパネル取付金具２１の溝２２にパネル外装枠２の突起２４を嵌合させながらパネル外装枠２を上方に押し上げ、パネル外装枠２をネジ長さの長い４本の調整ビス３２でパネル取付金具２１の下面に仮固定する。次に、セパレータ体２６の外装ケーシング１側の端部に設けられたフランジ面２６ｄを外装ケーシング１に２本のビス３３で固定する。仮固定した調整ビス３２の締め込み具合でパネル取付金具２１に対するパネル外装枠２の上下位置をスライドさせ固定できるので、この調整ビス３２で上下方向を調整し、パネル外装枠２を天井面Ｔ（図２参照）の位置に合わせて固定する。最後に天井パネル３をパネル外装枠２に取り付けて施工が完了する。
【００４６】
以上説明したように本実施の形態によれば、複数のセパレータ体２５、２６で構成されたセパレータ１２をパネル外装枠２に一体化することにより、天井パネル３を天井に施工する際に、パネル外装枠２の取り付け作業と同時にセパレータ１２の取り付けが完了する。よって、セパレータをパネル外装枠２とは別体の複数のセパレータ体から構成する構造と比較して、施工時間の短縮、および施工作業の容易化が可能である。
【００４７】
また、セパレータ１２をパネル外装枠２と一体的な構造とすることで、別体で構成した場合に比較して、セパレータ体の施工ミスや施工忘れなどを防止でき、確実な給排仕切りが可能となる。
【００４８】
また、セパレータ１２を、熱交換器９の取り付けおよび取り外しに干渉しない位置に配置するようにしたので、熱交換器９のメンテナンス時にセパレータ１２を取り外す必要がなくなる。よって、熱交換器９のメンテナンス時に取り外す部品が減少し、熱交換器９のメンテナンス作業性を向上でき、天井での高所作業であるメンテナンス作業を容易にすることができる。
【００４９】
なお、本実施の形態では、セパレータ１２を２枚のセパレータで構成した例を示したが、２枚に限られたものではなく、さらに複数枚で構成してもよい。
【産業上の利用可能性】
【００５０】
以上のように本発明に係る同時給排形換気扇は、天井パネルの施工作業を容易にするとともに、熱交換器のメンテナンス作業性を向上させる方法に適している。
【符号の説明】
【００５１】
１  外装ケーシング、２  パネル外装枠、２ａ  壁面、３  天井パネル、４  本体開口部、５ａ  排気用電動機、５ｂ  給気用電動機、６ａ  排気用羽根、６ｂ  給気用羽根、７ａ  排気用送風機、７ｂ  給気用送風機、８ａ  排気用ファンケーシング、８ｂ  給気用ファンケーシング、９  熱交換器、１０  回路部ケース、１２  セパレータ、１４ａ  排気通風路、１４ｂ  給気通風路、１５ａ  給気室、１５ｂ  排気室、１６  給気側除塵フィルタ、１７  送風機吹出口、２１  パネル取付金具、２２  溝、２４  突起、２５  セパレータ体、２５ａ  スライド突起、２５ｂ  面、２５ｃ  係止突起、２６  セパレータ体、２６ａ  スライド溝、２６ｂ  係合片、２６ｃ  ストッパー、２６ｄ  フランジ面、３１  ビス、３２  調整ビス、３３  ビス、Ａ１  吸込気流、Ａ２  排気流、Ｂ１  給気流、Ｂ２  吹出気流、ＳＩ  給気口、ＳＯ  排気口、Ｔ  天井面、ＵＩ  パネル吸込口、ＵＯ  パネル吹出口。
【図１】
2013164172.tif 000003
【図２】
2013164172.tif 000004
【図３】
2013164172.tif 000005
【図４】
2013164172.tif 000006
【図５】
2013164172.tif 000007
【図６】
2013164172.tif 000008
【図７】
2013164172.tif 000009
【図８】
2013164172.tif 000010
【図９】
2013164172.tif 000011
【図１０】
2013164172.tif 000012